(57)【特許請求の範囲】
【請求項１】
建造物の屋上又は屋根に凸凹状部材を設置し、前記凸凹状部材の凹部である融雪水流れ路に、前記融雪水流れ路の上端部または途中から、給水装置により給水される水を流し、前記屋根に降雪する雪の積雪を防止する流水除雪装置において降雪中の雪を流した水は、前記融雪水流れ路の出口側に設けられた排水樋を通った後に、前記給水装置に循環され、前記排水樋に押し水を供給するために、前記排水樋に前記給水装置に前記給水装置からの給水配管が設けられていることを特微とする流水除雪装置
【請求項２】
建造物の屋上又は屋根に凸凹状部材を設置し、前記凸凹状部材の凹部である融雪水流れ路に、前記融雪水流れ路の上端部または途中から、給水装置により給水される水を流し、前記屋根に降雪する雪の積雪を防止する流水除雪装置において降雪中の雪を流した水は、前記融雪水流れ路の出口側に設けられた排水樋を通った後に、前記給水装置に循環され、降雪した雪を含む水を撹拌して消雪する、複数の羽根を角度と取り付け位置を変えて取り付た回転軸を有する消雪装置を、前記給水装置の入り口側に設けたことを特微とする流水除雪装置
【請求項３】
建造物の屋上又は屋根に凸凹状部材を設置し、前記凸凹状部材の凹部である融雪水流れ路に、前記融雪水流れ路の上端部または途中から、給水装置により給水される水を流し、前記屋根に降雪する雪の積雪を防止する流水除雪装置において降雪中の雪を流した水は、前記融雪水流れ路の出口側に設けられた排水樋を通った後に、前記給水装置に循環され、前記排水樋を通った降雪した雪を含む水を、前記給水装置の入り口側に設けた筒状の消雪装置の内部に流し、前記消雪装置の内部に円錐形のワイヤー金具を、複数間隔を置いて設置され、通過する雪を、溶かして流すことを特微とする流水除雪装置
【請求項４】
建造物の屋上又は屋根に凸凹状部材を設置し、前記凸凹状部材の凹部である融雪水流れ路に、前記融雪水流れ路の上端部または途中から、給水装置により給水される水を流し、前記屋根に降雪する雪の積雪を防止する流水除雪装置において
前記凹凸の凹凸部に平行して、所定の間隔で仕切り材を設けて、前記凹凸の凹凸部に複数のレーンに分割して設置し、この分割レーン別に、降雪量に応じて前記凹部を水が流れる順番を制御し、降雪中の雪を流すことを特微とする流水除雪装置
【請求項５】
前記凸凹状部材の凸部分の内部を空洞にし、その中に暖気又は、温水を流し、降雪した雪を融雪することを特微とする請求項４に記載の流水除雪装置
【請求項６】
降雪中の雪を流した水は、前記融雪水流れ路の出口側に設けられた排水樋を通った後に、前記給水装置に循環され、前記排水樋に押水を供給するために、前記排水樋に前記給水装置からの給水配管が設けられていることを特微とする請求項４記載の流水除雪装置
【請求項７】
降雪中の雪を流した水は、前記融雪水流れ路の出口側に設けられた排水樋を通った後に、前記給水装置に循環され、降雪した雪を含む水を撹拌して消雪する複数の羽根を角度と取り付け位置を変えて取り付た回転軸を有する消雪装置を前記給水装置の入り口側に設けたことを特微とする請求項４記載の流水除雪装置
【請求項８】
降雪中の雪を流した水は、前記融雪水流れ路の出口側に設けられた排水樋を通った後に、前記給水装置に循環され、前記排水樋を通った降雪した雪を含む水を、前記給水装置の水の入り口側に設けた筒状の消雪装置内部に流し、前記消雪装置の内部には、円錐形のワイヤー金具を、複数間隔を置いて設置され、通過する雪を、溶かして流すことを特微とする請求項４記載の流水除雪装置
【発明の詳細な説明】
【技術分野】
【０００１】
本発明は、建造物の屋根に降雪した雪が固まる前に融雪、除雪する装置で、屋根の斜面に沿って凹凸状の装置を設け、頂上部から前記凹状部分に水を流し、雪を流すことに関する。
【背景技術】
【０００２】
建造物の屋根に積雪した雪を物理的に除く方法としては、人力による雪を降ろす方法がある。
【０００３】
積雪を融雪する方法としては、電熱、蒸気、熱水、井戸水を使用して融雪する装置を設置する方法などがある。（例えば特許文献１）。  
【先行技術文献】
【特許文献】
【０００４】
【特許文献１】特開２００６-１６９９３６
【発明の概要】
【発明が解決しようとする課題】
【０００５】
前記特許文献で知られる内容では、給湯ボイラーで水を沸かし、高温水で散水して積もった雪を消雪するため、多くの燃料費を必要としている。
【０００６】
散水した水をそのまま流していることで、多くの井戸水を必要とし、使用場所に制限がある。
【０００７】
給湯ボイラーと散水位置の配管距離が長く、熱損失を生じている。
【０００８】
高温水で直接雪を消雪しているため、多くの燃料費を必要とし、また、冷めた水が雪に浸透しシャーベット状になり、含んだ水量だけ重量が増し、寒冷地においては、凍ったり氷柱になる恐れがあり、その対策も必要である。
【０００９】
人力により雪を降ろす方法では、除雪のための資金不足、豪雪地域の過疎化、住民の高齢化、除雪業者や人的資源の不足などの対策が必要であり、相次ぐ事故は問題となっている。
【００１０】
密集した住宅地域では、除雪した雪の捨て場がなく、遠隔地まで車両等で搬出しており、それに伴う経費を必要とする。
【００１１】
電熱線での融雪は、多くの電力を必要としている。
【００１２】
本発明は、これらの積雪の問題を根本的に解決するためになされたもので、既設の建造物の屋根に、安価で容易に設置することが出来、事故を防止し、低エネルギー、低コストで稼動し、屋根に降雪中の雪が固まる前に融雪する事を目的としている。
【課題を解決するための手段】
【００１３】本発明は、建造物の屋上又は屋根に凸凹状部材を設置し、前記凸凹状部材の凹部である融雪水流れ路に、前記融雪水流れ路の上端部または途中から、給水装置により給水される水を流し、前記屋根に降雪する雪の積雪を防止する流水除雪装置において降雪中の雪を流した水は、前記融雪水流れ路の出口側に設けられた排水樋を通った後に、前記給水装置に循環され、前記排水樋に押し水を供給するために、前記排水樋に前記給水装置に前記給水装置からの給水配管が設けられていることを特微とする流水除雪装置である。【００１４】建造物の屋上又は屋根に凸凹状部材を設置し、前記凸凹状部材の凹部である融雪水流れ路に、前記融雪水流れ路の上端部または途中から、給水装置により給水される水を流し、前記屋根に降雪する雪の積雪を防止する流水除雪装置において降雪中の雪を流した水は、前記融雪水流れ路の出口側に設けられた排水樋を通った後に、前記給水装置に循環され、降雪した雪を含む水を撹拌して消雪する、複数の羽根を角度と取り付け位置を変えて取り付た回転軸を有する消雪装置を、前記給水装置の入り口側に設けたことを特微とする流水除雪装置である。これにより、融雪して水となったものを消雪に再利用することができる。【００１５】建造物の屋上又は屋根に凸凹状部材を設置し、前記凸凹状部材の凹部である融雪水流れ路に、前記融雪水流れ路の上端部または途中から、給水装置により給水される水を流し、前記屋根に降雪する雪の積雪を防止する流水除雪装置において降雪中の雪を流した水は、前記融雪水流れ路の出口側に設けられた排水樋を通った後に、前記給水装置に循環され、前記排水樋を通った降雪した雪を含む水を、前記給水装置に入り口側に設けた筒状の消雪装置の内部に流し、前記消雪装置の内部に円錐形のワイヤー金具を、複数間隔を置いて設置され、通過する雪を、溶かして流すことを特微とする流水除雪装置である。
円形状の筒の内部には、リング状の金具に等間隔に一周するように数本のワイヤーの先端部が接着され、それぞれのもう一方のワイヤーの先端を集めている円錐形のワイヤー金具が、上にリング状の円形が向く方向に設置されており、その内部を通った水を含んだ雪が分解されて融雪し通り抜けることを特備としている。
これにより、融雪して水となったものをを消雪に再利用すことができる。【００１６】建造物の屋上又は屋根に凸凹状部材を設置し、前記凸凹状部材の凹部である融雪水流れ路に、前記融雪水流れ路の上端部または途中から、給水装置により給水される水を流し、前記屋根に降雪する雪の積雪を防止する流水除雪装置において、前記凹凸の凹凸部に平行して、所定の間隔で仕切り材を設けて、前記凹凸状部材を複数のレーンに分割して設置し、この分割レーン別に、降雪量に応じて前記凹部を水が流れる順番を制御し、降雪中の雪を流すことを特微としている。これにより、降雪量に応じた少量の水で雪を流すことができる。
前記凸凹状部材の凸部分の内部を空洞にし、その中に暖気又は、温水を流し、降雪した雪を融雪することを特微とする。これにより、凸部分に融雪及び水をスムーズに流すことができる。
降雪中の雪を流した水は、前記融雪水流れ路の出口側に設けられた排水樋を通った後に、前記給水装置に循環され、前記排水樋に押水を供給するために、前記排水樋に前記給水装置からの給水配管が設けられていることを特微としている。
降雪中の雪を流した水は、前記融雪水流れ路の出口側に設けられた排水樋を通った後に、前記給水装置に循環され、降雪した雪を含む水を撹拌して消雪する複数の羽根を角度と取り付け位置を変えて取り付けた回転軸を有する消雪装置を前記給水装置の入り口側に設けたことを特微としている。
降雪中の雪を流した水は、前記融雪水流れ路の出口側に設けられた排水樋を通った後に、前記給水装置に循環され、前記排水樋を通った降雪した雪を含む水を、前記給水装置の水の入り口側に設けた筒状の消雪装置内部に流し、前記消雪装置の内部には、円錐形のワイヤー金具を、複数間隔を置いて設置され、通過する雪を、溶かして流すことを特微としている。
【発明の効果】
【００１７】
本発明により、井戸水を必要とせず、常温の水で雪を流すことを特徴としているので、使用場所に制限はない。
【００１８】
常温の水で、雪を流すことを特徴としている。給湯ボイラーや電熱線を必要をしないで融雪出来るため、設備費と燃料費の節約が図られている。
【００１９】
建造物の屋根に降った雪が固まる前に除雪するので、凍結を防止することが出来、氷柱になる恐れも無い。
【００２０】
注水した水は消雪装置で雪を溶かした後も再利用出来、且つ凹凸状部材の凹部にしか水を流さないので、少ない水で融雪出来るので、経費の節約が図られる。
【００２１】
降雪の情報を監視カメラやインターネットを通じてコンピューターで管理し、装置の制御に効率的に運用することが出来る。
【００２２】
除雪にかかる作業が減り、労力の軽減を図ることが出来、除雪による事故が減少する。
【図面の簡単な説明】
【００２３】
【図１】ａこの発明の第１の実施例で、流水除雪装置の全体概略図（上下方向一部図示省略）b この発明の第１の実施例で、図１ａのＡ〜Ａ矢視の断面図ｃこの発明の第１の実施例で、図１ａのＢ〜Ｂ矢視の断面図
【図２】ａこの発明の第１の実施例で、図１ａのX部の消雪装置の詳細説明図ｂこの発明の第１の実施例で、図２ａのＡ〜Ａ矢視の断面図ｃこの発明の第１の実施例で、図２ａのＢ〜Ｂ矢視の断面図
【図３】ａこの発明の第２の実施例で、上部除雪装置と下部除雪装置を複数設置した平面図上下方向１２面（Ａａ〜Ａ１）横方向８面（Ａ〜Ｈの一部省  略）ｂこの発明の第２の実施例で、図３ａのＡ〜Ａ矢視の断面図（一部図示省略）ｃこの発明の第２の実施例で、図３ａのＢ〜Ｂ矢視の断面図（一部図示省略）
【図４】この発明の第３の実施例で、上部除雪装置を斜面に複数設置した斜視図上下方向４面（Ａａ〜Ａｄ）横方向８面（Ａ〜Ｈ）
【図５】この発明の第４の実施例で、上部除雪装置を２斜面屋根に複数設置した平面図  上下方向４面（Ａａ〜Ａｄ）横方向８面（Ａ〜Ｈ）
【図６】この発明の第５の実施例で、除雪装置を４面ずつ屋根の各斜面に複数設置した平面図
【図７】この発明の実施例で、開閉弁５１〜５３の端末に注水口４を複数接続した一例の系統図
【図８】ａこの発明の実施例で、除雪装置の図１ｂ表示の凹凸状部材３の別形状の断面図ｂこの発明の実施例で、除雪装置の図１ｂ表示の仕切り材２の無い断面図
【図９】ａこの発明の実施例で、第２の実施例（図３〜図５）の除雪装置の運転タイムチャート第１の例ｂこの発明の実施例で、第３の実施例（図３〜図５）及び第４の実施例の除雪装置の運転タイムチャート第１の例ｃこの発明の実施例で、第３の実施例（図６）及び第４の実施例の除雪装置の運転タイムチャート第２の例
【図１０】ａこの発明の実施例で、実験装置の６レーンの斜視図ｂこの発明の実施例で、実験装置の６レーンのタイムチャート
【発明を実施するための形態】
【００２４】
本発明の流水除雪装置は、降雪する雪を押し流すための水を供給する給水系と、建  造物の屋根又は屋根に傾斜して設置され、前記降雪する雪を押し流すための水を流す  流路系と、前記流水路からの水、融雪水あるいは降雪した雪が溶けきれずに混じった水等を受ける排水系と、前記給水系を少なくとも制御する制御系とからなる。
前記給水系は、少なくとも、給水ポンプや給水タンク等からなる給水装置１０、給水装置１０からの水を流路系の凹凸状部材３のそれぞれの融雪流れ路（凹部）１２に供給する複数の注水口４からなる。
前記流路系は、少なくとも、融雪水流れ路（凹部）１２が形成された凹凸状部材３からなる。
前記排水系は、少なくとも、融雪水流れ路（凹部）１２からの水等を受ける排水桶１６、排水桶１６の多量の雪による詰まりを防止するための給水装置１０からの押水を排水桶１６の一端に給水するための増水便２０、排水桶１６からの水等を循環のために給水装置１０に戻すための戻り配管２１からなる。
前記制御系は、少なくとも、降雪センサー８、外部信号を受ける受信装置、各種情報に基づいて除雪装置を制御するコンピューターとからなる。
以下、本発明の実施例を図１から図１０を用いて説明する。
【００２５】
図１ａは、この発明の融雪装置の単体の実施例の系統平面図で、図１ｂに示すように建造物の屋根にベース１を設置し、そのベース１の両端に仕切り材２、２を設置し、その仕切り材２、２の間面部に凹凸状部材３を設置する。
【００２６】
ベース１は、パネル状またはシート状で、材質は金属、ゴムまたは樹脂等で、設置条件によって定める。
【００２７】
設置した凹凸状部材３の上端部に、それぞれに前記の凹凸状部材３の融雪水流れ路（凹部）１２に合わせて注水口４を設け、注水口から出る水で雪を流す。
【００２８】
前記注水から出る水は、開閉弁５ａを制御盤６により開閉する事により、給水装置１０から幹配管１１を経て、前記注水口４より、凹凸状部材３の融雪水流れ路（凹部）１２に沿って、流量がほぼ均一に流れる構造となっており、凹凸状部材の空洞部３ａの体積分だけの最小限の水量で済む仕組みとなっている。幹配管１１は容積を多くすることにより、貯水効果が保たれている。
【００２９】
前記、開閉弁５ａの運転開時間は、前記注水口４の状況に応じて変更し、流雪する事ができる。
【００３０】
降雪中の雪を流した水は、制御盤６の開信号を受け、給水装置１０から幹配管１１とは別に凹凸状部材３の下端側に設けた配管に、増水弁２０より雪による詰まり防止のために給水されている排水桶１６を通り、消雪装置１７に流れた後、戻り配管２１を通って給水装置１０に戻り循環される。降雪量が少ない地域では、消雪装置１７はなくてもよい。
【００３１】
制御盤６は、降雪センサー８及び外部信号９の少なくともいずれかの信号により降雪状況に合わせて作動する構造になっている。
【００３２】
前記外部信号９は、降雪情報を監視カメラやインターネット通信を利用し、地域別に管理して本装置の制御に反映させ管理することが出来る。
【００３３】
給水装置１０は、制御盤６の信号を受けて、外部給水１８を水源として水を給水する。
【００３４】
給水装置１０の別形態として、本流水除雪装置の設置位置より、上部位置に水源がある場合は、高い位置にある水源１９より給水することが出来る。
【００３５】
図１ｂ、ｃに示すように、暖房装置１３より出た暖気又は温水が、下部の暖房流水口１４から凹凸状部材の凸部内空洞部３ａを通り、上部の暖気流出口１５から出て暖房装置１３に戻ることにより、流水除雪装置の凍結の防止と融雪と流雪を促すことが出来る。
【００３６】
前記暖房装置１３及びその回路は、凍結防止の装置であるため、温度検知器で制御し、凍結の恐れがない場所では、本設備は省略してもよい。
【００３７】
図２ａ消雪装置１７の内部の図面では、完全に融雪されないで流れてきた雪塊と水は、消雪装置１７に流入し、ワイヤー金具１７ｇの中を通る。ワイヤー金具１７gは、リング状の円型の金具に等間隔に一周するように数本のワイヤーの先端部が接着されており、それぞれのワイヤーのもう一方の先端は、接着しないで、円錐形を成している。ワイヤー金具１７gに雪塊が接触し溶け、小石や枯葉等の塵が流入しても、ワイヤー金具１７ｇの隙間から融雪した水が流れる。ワイヤー金具１７gは必要に応じて間隔を置いて複数設ける。
【００３８】
更に別途、原動機１７ａに接続されている回転軸１７ｂに複数の回転羽根１７ｃが角度を変え、位置を変えて付けられ、撹拌して融雪される。
【００３９】
図２ａでは、ワイヤー金具１７gと回転羽根１７ｃの両方の装置が設けられているが、どちらか一方の設置でもよい。前記回転羽根１７ｃの形状は、撹拌する時に雪や水が遠心力により外方向に飛散しないようS字型にしているが、形状と数量は適宜決定すればよい。
【００４０】
原動機１７ａは、必要に応じて高速で回転する事により、消雪能力を高める事が出来る。
【００４１】
図２では、原動機１７ａにより回転方法と消雪ワイヤー金具１７ｇによる２方式で記しているが双方何れの方法でも良い。
【００４２】
消雪した水は、戻り配管２１で再び給水装置１０に戻して再利用する構造になっており、水の節約が図られている。尚、水量が豊富な地域では、消雪した水を流出させてもよい。
【００４３】
寒冷地で凍結の恐れがある場合は、消雪装置１７の外面に保温材１７ｅ又は、電熱材１７ｆ等を装置して凍結を防止する。
【００４４】
図２ａでは、消雪装置１７を縦型で図示しているが、必要に応じて横型でも良く、必要に応じて数量やサイズを増減することが望ましい。
【００４５】
以下の実施例は、前記の構造の応用例である。
【００４６】
図３は、単体の流水除雪装置を組み合わせての実施例を示しているが、上下方向及び横方向とも必要に応じた長さの装置を繋ぎ合わせてもよい。
【００４７】
図３ａは、前記凹凸状部材３を建造物の屋上や屋根に左右８列（Ａ〜Ｈ）、上下１                  ６例（ａ〜ｌ）に渡って複数設置した第２の実施例の平面図で、ベース１を設置場所に応じて連結して設置した例で、上下方向に流水除雪装置Ａａ〜Ａｌ：Ｈａ〜Ｈｌ（図示一部省略）と連結し、横方向に凹凸状部材３を連結し、必要に応じて場所に合わせて設置する。
【００４８】
注水口から出る水は、上下方向に１６列並べられた凹凸状部材３の４列ごとに設けられた開閉弁（５ａ〜５ｈ２）を制御盤６により開閉する事により、給水層と１０から幹配管１１を経て、それぞれの注水口４より、凹凸状部材３の融雪水流れ路（凹部）１２に沿って流量がほぼ均一に流れる構造となっており、凹凸状部材の凸部内空洞部３ａの体積分だけの最小限の水量で済む仕組みとなっている。
【００４９】
前記開閉弁（５ａ〜５ｈ２）は、降雪量に応じて作動し、注水口４からの給水量を調節し、融雪する。
【００５０】
図３ｂは、上部融雪装置のＡ〜Ａ矢視の断面図を示し、中間位置に横方向に開閉弁５ａ１〜５ｈ１及び５ａ２〜５ｈ２（Ｂ〜Ｇ省略）を設置し、注水することにより、広い面積に渡り流水除雪することができる。
【００５１】
図３ｂは、下部融雪装置のＢ〜Ｂ矢視の断面図を示し、暖房装置１３より出た暖気又は温水が、下部の暖房流水口１４から凹凸状部材の凸部内空洞部３ａを通り、上部の暖気流出口１５から出て暖房装置１３に戻ることにより、流水除雪装置の凍結の防止と融雪と流雪を促すことが出来る。（Ｂ〜Ｇ省略）
【００５２】
図４は、開閉弁５を縦方向の途中に設けることなく上部融雪装置を斜面に３２個設置した第３の実施例の斜視図で、ベース１を設置場所に応じて連結して設置した例で、縦方向Ａ列位置に上部融雪装置Ａａ〜Ａｄと連結し、横方向にＡａ〜Ｈａ：Ａｄ〜Ｈｄと連結し、場所に合わせて設置する。
【００５３】
図５は、屋根が２斜面の建造物に本装置を設置した第４の実施例で、２斜面に上下方向にＡａＡｄ、横方向に上部融雪装置Ａａ〜Ｈａ：Ａｄ〜Ｈｄと連結して設置することにより、融雪することができる。開閉弁５ａ〜５ｈには、それぞれ２斜面の流水除雪装置の注水口４に接続されており、２方向に同時に給水され作動する。
【００５４】
図６は、屋根が４斜面の建造物に本装置を設置した第５の実施例で、設置図面に示す仕切り表示Ａ〜Ｃは上部融雪装置を４連結で接続し、表示Ｄ〜Ｆはそれぞれ３連結、２連結、単体と減少して設置されている。減少に応じて開閉弁５ｄ〜５ｆはそれぞれ短い時間で効率的に運転している。この例では、開閉弁５ｄ〜５ｆはそれぞれ注水口４に接続し、同時に注水され作動する。
【００５５】
この流水除雪装置を、降雪量の多い山間部や周辺の雪崩発生地域に設置する事により、災害事故を予防することもできる。
【００５６】
幹配管１１の容積を多くすることにより、水槽の役割を果たし、降雪前に水を貯え降雪量に合わせて注水口４から雪を流す。それにより、給水装置１０の容量は少ない設備でよい。又、火災が生じた場合は消火の役割を果たすことが出来る。夏は散水して冷房の効果を果たすことも出来る。
【００５７】
図７は、この発明の他の実施例で、開閉弁５１〜５３の端末に注水口４を複数接続して流水除雪している。開閉弁５１〜５３はポンプに変更することもできる。
【００５８】
図８ａは、図１ａ、図１ｂに示す凹凸状部材３の断面が三角形以外の別形状の種類を示している。四角形断面３ｂ、富士山型断面３ｃ半円型断面図３ｄ、逆U字型断面図３ｅ、丸型断面図３ｆ、I型断面図３ｇ等いずれの形状でもよい。
【００５９】
図８ｂは、仕切り２を除去して設けない図で、その場合は、レーン（Ａａ〜Ｈａ）ごとに順次水を流し除雪する。（Ｂａ〜Ｇａ省略）
【００６０】
図９ａは、本装置の第２の実施例（図３）、第３の実施例（図４）、第４の実施例（図５）の運転タイムチャートの例を示したもので、開閉弁５ａ〜５ｈ：５ａ１〜５ｈ１：５ａ〜５ｈが制御盤６の信号を受け、順番に作動し、仕切り表示ＡからＨまで順次運転し、再度仕切り表示のＨから仕切り表示Ａに、ＴＡ１の順番に繰り返し作動し、降雪が止むまで作動する。増水弁２０と消雪装置１７は、降雪中は連続して運転している。
【００６１】
図９ｂは、本装置の第２の実施例（図３）、第３の実施例（図４）、第４の実施例（図５）において、大量の降雪した場合の運転タイムチャートの例を示したもので、開閉弁５が同時に２方向に作動し、それぞれの注水口から流水させ、図９ａのタイムチャートで示すところの２倍の早さで稼動し、降雪状況に合わせてその稼動を変更させることが出来るため、屋根への積雪が防止出来る。
【００６２】
図９cは、本装置の第５の実施例（図６）の運転タイムチャートを示したもので、上部融雪装置の数の減少に応じて開閉弁５ｄ〜５ｆは短い時間で効率的に運転している。
【００６３】
図１０ａは、本流水除雪装置の実験図を示したもので、サイズが幅４５０mm、長さ３６００mmのサイズのレーンを、６レーン使用し、図１０ｂに示したタイムチャートに沿って自動運転にて行い、運転停止の操作はリモコン９ｂにて行った結果、流水除雪装置に降雪中の積雪は発生しなかった。
【符号の説明】
【００６４】
１    ベース
２    仕切り材
３    凹凸状部材
３ａ  凹凸状部材の凸部空洞部
４    注水口
５    開閉弁  （５ａ〜５ｊ）
５ａ１調節バルブ（５ａ１〜５ａ３）〜（５ｈ１〜５ｈ３）
６    制御盤
７ａ〜７ｃ雪
８    降雪センサー
９    外部信号
９ａ  アンテナ
９ｂ  リモコン
１０    給水装置
１０ａ  水中ポンプ
１１    幹配管
１２    融雪水流れ路
１３    暖房装置
１４    暖房流入口
１４ａ  暖房流入口配管
１５    暖房流出口
１５ａ  暖房流出口配管
１６    排水桶
１７    消雪装置
１７ａ  原動機
１７ｂ  回転軸
１７ｃ  回転羽根
１７ｄ  軸受け
１７ｅ  保温材
１７ｆ  加熱機
１７ｇ  ワイヤー金具
１８    外部給水
１９    上部原水
２０    増水弁
２１    戻り配管
Ａａ〜Ｈａ  上部融雪装置
Ａ１〜Ｈ１  下部融雪装置
Ａ〜Ｈ  仕切り表示
ＴＡ１〜ＴＡ４  繰り返し表示
２１〜２２  ２面屋根区別表示
３１〜３４  ４面屋根区別表示
【要約】      （修正有）【課題】建造物の屋根に降雪する雪を、積雪させることなく融雪し、建造物の損傷を防ぎ、除雪にかかる労力を低減し、融雪にかかるコストを低減できる流雪除雪装置を提供する。【解決手段】降雪中の雪を、制御盤６により仕切り２別に順次凹凸状部材３に流し、消雪装置１７により融雪する。【選択図】図１【図１】
0005711413.tif 000002
【図２】
0005711413.tif 000003
【図３】
0005711413.tif 000004
【図４】
0005711413.tif 000005
【図５】
0005711413.tif 000006
【図６】
0005711413.tif 000007
【図７】
0005711413.tif 000008
【図８】
0005711413.tif 000009
【図９】
0005711413.tif 000010
【図１０】
0005711413.tif 000011